(57)【要約】      （修正有）【課題】調理時間の短縮化及び効率化を図ることができると共に、商品の管理や陳列作業の簡素化が可能な食品包装容器及び食品包装容器陳列器具を提供する。【解決手段】電子レンジのターンテーブル上に載置され、電磁波を照射されて加熱される食品を収容するための食品包装容器２１であって、ターンテーブルの回転を許容する大きさの円形又は多角形の中心を通る線に沿って分割することにより形成される複数の容器ユニット２２から構成されている。【選択図】図２
0003140001.tif 000002
【実用新案登録請求の範囲】
【請求項１】
電子レンジのターンテーブル上に載置され、電磁波を照射されて加熱される食品を収容するための食品包装容器であって、
前記ターンテーブルの回転を許容する大きさの円形又は多角形の中心を通る線に沿って分割することにより形成される複数の容器ユニットから構成されていることを特徴とする食品包装容器。
【請求項２】
前記容器ユニットは、上側に開口部を有すると共に外周上部にフランジ部を有する食品収容部と、該食品収容部の開口部を閉塞可能な蓋部とを備え、前記各容器ユニットは前記円形又は多角形を成すように前記フランジ部を介して互いに連結されており、該連結されるフランジ部には前記円形又は多角形の中心を通る線に沿って切り取り部が形成されている請求項１に記載の食品包装容器。
【請求項３】
前記容器ユニットの要部には切欠部が形成されており、前記円形又は多角形を成すように前記各容器ユニットを連結すると、前記切欠部によって前記円形又は多角形の中心部分に所定形状の孔が形成されるようになっている請求項１又は２に記載の食品包装容器。
【請求項４】
前記食品包装容器の孔に挿通可能な棒状部材と、該棒状部材の下端に着脱可能に設けられ、該棒状部材を立設状態で支持可能な支持部材とを備えていることを特徴とする食品包装容器陳列器具。
【考案の詳細な説明】
【技術分野】
【０００１】
本考案は、電子レンジのターンテーブル上に載置され、電磁波を照射されて加熱される食品を収容するための食品包装容器、及び該食品包装容器を店内に陳列するための食品包装容器陳列器具に関する。
【背景技術】
【０００２】
近年、電子レンジの普及に伴い、電子レンジで加熱して調理される調理加工済みの冷凍食品や冷蔵食品が広く販売されており、この種の食品は電子レンジでの加熱に耐える材質から成る食品包装容器に収容されている。
【０００３】
従来のこの食品包装容器としては、例えば、トレー状容器に蓋材を熱封着した電子レンジ用容器が知られている（例えば、特許文献１参照）。この特許文献１に記載されている電子レンジ用容器は、トレー状容器が２つの収容部を有しており、該各収容部の境界部分に破断線と折り曲線とが設けられている。そして、電子レンジの加熱後に、電子レンジ用容器を折り曲線に沿ってＶ字状に折り曲げることにより開封できるようになっている。
【特許文献１】実用新案登録第２５９４３５３号
【考案の開示】
【考案が解決しようとする課題】
【０００４】
しかしながら、上記した従来の食品包装容器は、平面形状が矩形を成しており、複数の電子レンジ用容器を電子レンジのターンテーブル上に載置して一度に加熱することができないため、調理時間の短縮化や効率化が図り難いといった問題があった。
【０００５】
また、店員等が製造年月日の新しい食品包装容器を陳列する際には上段に積まれている製造年月日の古い食品包装容器を一旦退かす必要があった。一方、消費者がこの食品包装容器を購入する際に下段の製造年月日の新しい食品包装容器を横から簡単に引き出すことができるため、上段の製造年月日の古い食品包装容器が売れ残ってしまい、商品の品質管理に手間が掛かるといった問題があった。さらに、消費者が下段の製造年月日の新しい食品包装容器を横から引き出す際に、陳列されている食品包装容器の段積み姿勢が乱れたり、崩れたりし易く、商品の陳列状態の管理に手間が掛かるといった問題もあった。
【０００６】
本考案は、上記した課題を解決すべくなされたものであり、調理時間の短縮化及び効率化を図ることができると共に、商品の管理や陳列作業の簡素化が可能な食品包装容器及び食品包装容器陳列器具を提供することを目的とするものである。
【課題を解決するための手段】
【０００７】
上記した目的を達成するため、本考案は、電子レンジのターンテーブル上に載置され、電磁波を照射されて加熱される食品を収容するための食品包装容器であって、前記ターンテーブルの回転を許容する大きさの円形又は多角形の中心を通る線に沿って分割することにより形成される複数の容器ユニットから構成されていることを特徴とする。
【０００８】
そして、前記容器ユニットは、上側に開口部を有すると共に外周上部にフランジ部を有する食品収容部と、該食品収容部の開口部を閉塞可能な蓋部とを備え、前記各容器ユニットは前記円形又は多角形を成すように前記フランジ部を介して互いに連結されており、該連結されるフランジ部には前記円形又は多角形の中心を通る線に沿って切り取り部が形成されているのが好ましい。
【０００９】
さらに、前記容器ユニットの要部には切欠部が形成されており、前記円形又は多角形を成すように前記各容器ユニットを連結すると、前記切欠部によって前記円形又は多角形の中心部分に所定形状の孔が形成されるようになっているのが好ましい。
【００１０】
また、本考案に係る食品包装容器陳列器具は、前記食品包装容器の孔に挿通可能な棒状部材と、該棒状部材の下端に着脱可能に設けられ、該棒状部材を立設状態で支持可能な支持部材とを備えていることを特徴とする。
【考案の効果】
【００１１】
本考案によれば、調理時間の短縮化及び効率化を図ることができると共に、商品の管理や陳列作業の簡素化を図ることができる。
【考案を実施するための最良の形態】
【００１２】
以下、図面を参照しつつ、本考案の実施の形態について説明する。
【００１３】
先ず、図１を参照しつつ、本考案の実施の形態に係る食品包装容器に収容された食品を加熱調理する電子レンジの概略構成について説明する。ここで、図１は本考案の実施の形態に係る食品包装容器に収容された食品を加熱調理する電子レンジを示す正面図であり、扉は省略している。
【００１４】
電子レンジ１は、矩形箱状を成しており、その内部には前面が扉（図示省略）によって開閉可能な調理室２が形成されている。また、調理室２内の天井部には、オーブン調理及びグリル調理用のヒータ３が設けられており、調理室２内の底部には、回転可能な円形状の回転台４が設けられている。この回転台４には、皿形状を成すターンテーブル５が載置されており、このターンテーブル５は、ガラスやセラミック等のマイクロ波透過材料によって形成されている。
【００１５】
調理室２の側方には、隣接して機械室６が形成されており、機械室６内には、電源装置、マグネトロン、ファン（いずれも図示省略）等が収容されている。また、機械室６の前面側には操作パネル７が設けられており、この操作パネル７には、スタートスイッチ８、調理時間設定ダイヤル９、自動調理選択スイッチ１０、及び調理時間等の各種情報を表示するための表示パネル１１が配設されている。
【００１６】
次に、図２〜図４を参照しつつ、本考案の実施の形態に係る食品包装容器について説明する。ここで、図２は本考案の実施の形態に係る食品包装容器を示す斜視図、図３は同食品包装容器を示す平面図、図４は同食品包装容器を示す側面図である。
【００１７】
本考案の実施の形態に係る食品包装容器２１は、電子レンジ１のターンテーブル５上に載置され、マイクロ波を照射されて加熱される食品を収容するためのものであり、ターンテーブル５の回転を許容する大きさ（ターンテーブル５と略同一又はそれ以下の大きさ）の円形の中心を通る線に沿って均等に分割することにより形成される扇形を成す複数（図示では４個）の容器ユニット２２から構成されている。
【００１８】
容器ユニット２２は、上側に開口部を有すると共に外周上部にフランジ部２３を有する耐熱性合成樹脂製の食品収容部２４と、食品収容部２４のフランジ部２３に熱溶着されて食品収容部２４の開口部を閉塞可能な耐熱性合成樹脂製の蓋部２５とを備えて構成されている。各容器ユニット２２は前記円形を成すようにフランジ部２３を介して互いに連結されており、該連結されるフランジ部２３には前記円形の中心を通る線に沿って切り取り部２６が形成されている。
【００１９】
また、各容器ユニット２２の要部には扇状の切欠部２７が形成されており、前記円形を成すように各容器ユニット２２を連結すると、切欠部２７によって前記円形の中心部分に円形の孔２８が形成されるようになっている。
【００２０】
このように構成された食品包装容器２１を電子レンジ１で加熱調理する場合、食品包装容器２１をターンテーブル５上に載置させて行うが、食品包装容器２１はターンテーブル５の回転を許容する大きさの円形を成しているため、食品包装容器２１を構成する複数の容器ユニット２２を一度に加熱することができる。したがって、電子レンジ１における調理時間の短縮化や効率化を図ることができる。
【００２１】
なお、上記した実施の形態に係る食品包装容器２１の形状、材質等は、単なる例示に過ぎず、例えば、前記円形を均等に６分割又は８分割したり、又は不均等に複数分割したりして容器ユニット２２を形成したり、或いは、容器ユニット２２を最初から扇形に切り離した状態で単独使用可能なように構成したり、或いは、容器ユニット２２を蓋部２５の無いセラミック皿等の耐熱性材料で形成したり、或いは、容器ユニット２２の要部に切欠部２７を設けないようにしたりする等、各種変更が可能である。
【００２２】
また、上記した実施の形態では、各容器ユニット２２は連結すると円形を成すように形成されているが、五角形以上の多角形を成すように形成されていてもよい。
【００２３】
次に、主に図５及び図６を参照しつつ、本発明の実施の形態に係る食品包装容器陳列器具について説明する。ここで、図５は本考案の実施の形態に係る食品包装容器陳列器具を示す斜視図、図６は同食品包装容器陳列器具に食品包装容器に収容された食品を陳列した状態を示す斜視図である。
【００２４】
本考案の実施の形態に係る食品包装容器陳列器具３１は、食品包装容器２１の中心部分の孔２８に挿通可能な丸棒状の棒状部材３２と、棒状部材３２の下端に着脱可能に設けられた支持部材３３とを備えて構成されている。
【００２５】
支持部材３３は、床に載置される円板形状の基板部３４と、基板部３４の上面中央に突設された円筒形状の嵌合部３５と、嵌合部３５の上端に形成された円環状の外鍔部３６とを備えて構成されており、嵌合部３５に棒状部材３２の下端が嵌合することにより棒状部材３２を立設状態で支持できるようになっている。
【００２６】
このような構成を備えた食品包装容器陳列容器３１を使用して食品包装容器２１を店内に陳列する場合、外鍔部３６上に所定数の食品包装容器２１を段積みにした上で、食品包装容器２１の孔２８に棒状部材３２を挿通させると共に、該棒状部材３２の下端を支持部材３３の嵌合部３５に嵌合させる。これにより、所定数の食品包装容器２１は棒状部材３２により段積み姿勢で整然と陳列され、その陳列状態が崩れることもないため、商品の管理や陳列作業を円滑且つ容易に行うことができる。
【００２７】
また、このように食品包装容器２１が陳列されている状態において、製造年月日の新しい食品包装容器２１を後から陳列させるには、製造年月日の古い食品包装容器２１を棒状部材３２に保持させた状態で棒状部材３２を嵌合部３５から引き抜いた後、上記したのと同様の手順で、外鍔部３６上に所定数の食品包装容器２１を段積みにし、食品包装容器２１の孔２８に前記棒状部材３２を挿通させ、該棒状部材３２の下端を支持部材３３の嵌合部３５に嵌合させる。これにより、製造年月日の古い食品包装容器２１の下方に製造年月日の新しい食品包装容器２１を簡単に陳列させることができる。
【００２８】
一方、消費者が食品包装容器２１を購入する場合、下段の製造年月日の新しい食品包装容器２１を取り出そうとしても、横から引き出すことができず、上段の製造年月日の古いすべての食品包装容器２１を棒状部材３２から上方に引き抜かなければならず、手間が掛かるため、消費者は上段の製造年月日の古い順に食品包装容器２１を取り出すようになる。したがって、上段の製造年月日の古い食品包装容器２１が売れ残ってしまうことがなく、商品の品質管理を効率良く行うことができると共に、下段の製造年月日の新しい食品包装容器２１を横から引き出す際に、陳列されている食品包装容器２１の段積み姿勢が乱れたり、崩れたりすることもなく、商品の陳列状態の管理を容易に行うことができる。
【００２９】
なお、上記した実施の形態では、食品包装容器２１の孔２８が円形を成していると共に棒状部材３２が丸棒状を成しているが、食品包装容器２１の孔２８を矩形に形成すると共に棒状部材３２を角棒状に形成してもよく、この場合、陳列されている食品包装容器２１が回転しないようになるため、食品包装容器２１の陳列姿勢を一層整然とさせることができる。
【図面の簡単な説明】
【００３０】
【図１】本考案の実施の形態に係る食品包装容器に収容された食品を加熱調理する電子レンジを示す正面図である。
【図２】本考案の実施の形態に係る食品包装容器を示す斜視図である。
【図３】本考案の実施の形態に係る食品包装容器を示す平面図である。
【図４】本考案の実施の形態に係る食品包装容器を示す側面図である。
【図５】本考案の実施の形態に係る食品包装容器陳列器具を示す斜視図である。
【図６】本考案の実施の形態に係る食品包装容器陳列器具に食品包装容器に収容された食品を陳列した状態を示す斜視図である。
【符号の説明】
【００３１】
１          電子レンジ
５          ターンテーブル
２１        食品包装容器
２２        容器ユニット
２３        フランジ部
２４        食品収容部
２５        蓋部
２６        切り取り部
２７        切欠部
２８        孔
３１        食品包装容器陳列器具
３２        棒状部材
３３        支持部材
【図１】
0003140001.tif 000003
【図２】
0003140001.tif 000004
【図３】
0003140001.tif 000005
【図４】
0003140001.tif 000006
【図５】
0003140001.tif 000007
【図６】
0003140001.tif 000008
【手続補正書】
【提出日】平成19年12月13日(2007.12.13)
【手続補正１】
【補正対象書類名】実用新案登録請求の範囲
【補正対象項目名】全文
【補正方法】変更
【補正の内容】
【実用新案登録請求の範囲】
【請求項１】
電子レンジのターンテーブル上に載置され、電磁波を照射されて加熱される食品を収容するための食品包装容器であって、
前記ターンテーブルの回転を許容する大きさの円形又は多角形の中心を通る線に沿って分割することにより形成される複数の容器ユニットから構成されていることを特徴とする食品包装容器。
【請求項２】
前記容器ユニットは、上側に開口部を有すると共に外周上部にフランジ部を有する食品収容部と、該食品収容部の開口部を閉塞可能な蓋部とを備え、前記各容器ユニットは前記円形又は多角形を成すように前記フランジ部を介して互いに連結されており、該連結されるフランジ部には前記円形又は多角形の中心を通る線に沿って切り取り部が形成されている請求項１に記載の食品包装容器。
【請求項３】
前記容器ユニットの要部には切欠部が形成されており、前記円形又は多角形を成すように前記各容器ユニットを連結すると、前記切欠部によって前記円形又は多角形の中心部分に所定形状の孔が形成されるようになっている請求項１又は２に記載の食品包装容器。
【請求項４】
請求項３に記載の食品包装容器の孔に挿通可能な棒状部材と、該棒状部材の下端に着脱可能に設けられ、該棒状部材を立設状態で支持可能な支持部材とを備えていることを特徴とする食品包装容器陳列器具。